(57)【特許請求の範囲】
【請求項１】
建物の屋内に配設されて透明材料で構成される浄化ダクトを、床下まで延設すると共に、該浄化ダクト内に、空気浄化作用を有する植物を植え込む植物植え込み部を設け、しかも、該浄化ダクトの上部に、ダクト内を通過する空気を室内側に送風する送風手段としての一乃至複数の上部排気ファンが設けられており、
前記浄化ダクトの屋内側の下部には、室内側の空気を該浄化ダクト内に導入する下部吸気ファンが設けられており、
前記浄化ダクトの床下の床部延長部には、床下空間を該浄化ダクト内と連通する床下空気導入手段としての連通開口部が設けられ、前記連通開口部には、該連通開口部を開閉するダンパ開閉扉機構が設けられており、
前記植物植え込み部には、脱臭効果を有する培土に、空気中の有毒ガスを吸収分解する微生物を共生させてなる培土層が設けられており、
前記浄化ダクトまで採光を導光する導光手段が設けられていることを特徴とする換気装置。
【発明の詳細な説明】
【０００１】
【発明の属する技術分野】
この発明は、主に、室外から室内に供給される空気を浄化することが出来る換気装置に関するものである。
【０００２】
【従来の技術】
従来の換気装置としては、図６に示す特公平４−２３９８３８号公報に記載されているようなものが知られている。
【０００３】
このようなものでは、階段１下に設けられた換気室２の床板部３に、換気孔４が穿設されていて、この換気孔４には、防虫網４ａが張設されている。
【０００４】
この階段１のけあげ板５…には、換気孔６…が各々形成されて、図示省略の遮蔽板によって開閉量を調整することにより、換気される空気量を調整するように構成されている。
【０００５】
【発明が解決しようとする課題】
しかしながら、このような従来の換気装置では、外気が汚れている場合は、導入する床下空気も汚れているため、換気により、室内空気を浄化する効果を得ることが出来ないといった問題があった。
【０００６】
また、空気の流れも、床下と室内との温度差を利用した自然換気により行われている。このため、換気量を前記換気孔６…の開口面積により調整しようとしても、建築物内の空気の流れ量が温度差により決定されてしまい、室内空気の浄化が確実に行われるとは限らないといった問題があった。
【０００７】
そこで、本発明の目的は、上記の問題点を解消し、室内空気の浄化を季節又は気候に左右されずに行うことが出来る換気装置を提供することにある。
【０００８】
【課題を解決するための手段】
前記課題を解決するため本願発明の請求項１に記載されたものでは、建物の屋内に配設されて透明材料で構成される浄化ダクトを、床下まで延設すると共に、該浄化ダクト内に、空気浄化作用を有する植物を植え込む植物植え込み部を設け、しかも、該浄化ダクトの上部に、ダクト内を通過する空気を室内側に送風する送風手段としての一乃至複数の上部排気ファンが設けられており、前記浄化ダクトの屋内側の下部には、室内側の空気を該浄化ダクト内に導入する下部吸気ファンが設けられており、前記浄化ダクトの床下の床部延長部には、床下空間を該浄化ダクト内と連通する床下空気導入手段としての連通開口部が設けられ、前記連通開口部には、該連通開口部を開閉するダンパ開閉扉機構が設けられており、前記植物植え込み部には、脱臭効果を有する培土に、空気中の有毒ガスを吸収分解する微生物を共生させてなる培土層が設けられており、前記浄化ダクトまで採光を導光する導光手段が設けられている換気装置を特徴としている。
【０００９】
このように構成された請求項１記載のものでは、前記植物植え込み部に植え込まれた植物が、前記浄化ダクト周囲からの光を受けて、光合成作用を行うと共に、前記浄化作用を行い該浄化ダクト内を通過する空気を浄化する。
【００１０】
浄化された空気は、前記送風手段によって室内に一定量送風されるので、室内空気の浄化が、季節又は気候に左右されずに行える。
また、前記導光手段が、前記浄化ダクトまで採光を導光する。このため、例えば、天井部に設けられた天窓から入射した光が、前記植物植え込み部に植え込まれた植物まで届き、更に活発に浄化作用及び光合成作用を該植物に行わせることが出来る。
また、前記床下空気導入手段が、前記床下空間を該浄化ダクト内と連通させるので、例えば夏季等、床下空間の比較的温度の低い空気を浄化後に室内へ導入できる。
さらに、前記送風手段によって、空気は前記培土層内を通過するように負圧で引かれる。この際、培土層の培土が、空気中の悪臭を除去すると共に、微生物が、空気中の有毒ガスを吸収分解する。
このため、更に、室内空気の浄化が効率良く行われる。
【００１８】
【発明の実施の形態１】
以下、本発明の具体的な実施の形態１について、図面を参照しつつ説明する。
【００１９】
図１乃至図４は、この発明の実施の形態１の換気装置を示すものである。なお、前記従来例と同一乃至均等な部分については同一符号を付して説明する。
【００２０】
まず、この実施の形態１の換気装置の構成を説明すると、ユニット建物１０の屋内には、透明材料であるガラス板材１２ａ…で四面を覆われた縦長の浄化ダクト１２が、上下階を連結する階段部１１近傍に沿って設けられている。
【００２１】
この浄化ダクト１２は、床部１３を貫通して床下空間１４内まで延設される筒状の床下延長部１５を有している。
【００２２】
この浄化ダクト１２の床下延長部１５内には、空気浄化作用を有する植物１７を植え込む植物植え込み部１６が設けられている。この実施の形態１では、植物として、ポトス、菊、アロエ、ガーベラ、セイヨウキズタ等を用いる。
【００２３】
有毒性を有するガスとして、屋内環境では、例えば、たばこの煙，燃料，紙類から発生するホルムアルデヒドや、インク，ペンキ，接着剤，ドライクリーニング衣類等から発生するトリクロルエチレン或いは、インク，ペンキ，プラスチック，ゴム等から発生するベンゼン等が知られている。
【００２４】
これらの有害物質は、図３に示すように、植物１７によって除去されることが知られている。ここで、試験条件は、２４時間，温度３０±１℃，１２５±５フィート燭光の下、密封箱内で行われている。また、ベンゼンに関しては、図４に示すように初期濃度が低い場合であっても、特定の植物１７によって除去可能であることが知られている（バイオサイエンスとインダストリーＶｏｌ．４９  Ｎｏ．１０（’９１）第１０８１頁乃至第１０８３頁記載の「植物による室内空気浄化能」中西友子著参照）。
【００２５】
この実施の形態１の前記植物植え込み部１６には、脱臭効果を有する培土１９の植物１７根域に、空気中の有毒ガスを吸収分解する有用微生物を共生させてなる培土層１８が設けられている。
【００２６】
また、この浄化ダクト１２には、浄化ダクト１２内を通過する空気を室内側に送風する送風手段としての上部排気ファン２０，２０と、下部から室内側の空気を前記浄化ダクト１２内に導入する下部吸気ファン２１とが設けられている。
【００２７】
そして、この実施の形態１の換気装置では、天井部２２に設けられた天窓２３から、前記浄化ダクト１２の上部まで採光を導光する導光手段としての間仕切り２４，２５が設けられている。
【００２８】
この間仕切り２４，２５は、ガラス，プラスチック等の光を略全透過或いは半透過する素材で構成されて、相互略直交して上階部分の壁部を形成している。
【００２９】
また、この実施の形態１では、前記浄化ダクト１２の床下延長部１４各壁面に、前記床下空間１５をこの浄化ダクト１２内空間と連通する床下空気導入手段としての連通開口部２６，２６が形成されている。この床下延長部１４各壁面には、前記連通開口部２６，２６を開閉するダンパ開閉扉機構２７，２７が、設けられている。
【００３０】
次に、この実施の形態１の作用について説明する。
【００３１】
この実施の形態１では、前記植物植え込み部１６に植え込まれた植物１７が、前記浄化ダクト周囲からの光を受けて、光合成作用が行われると共に、前記浄化作用が行われて、二酸化窒素やオゾンが吸収されてこの浄化ダクト１２内を通過する空気が浄化される。
【００３２】
浄化された空気は、前記上部排気ファン２０によって室内に一定量送風されるので、室内空気の浄化が、季節又は気候に左右されずに行われる。
【００３３】
また、前記間仕切り２４，２５によって、前記天井部２２に設けられた天窓２３から入射した光が、前記浄化ダクト１２上部まで導光される。このため、前記植物植え込み部１６に植え込まれた植物１７まで採光が届き、更に活発に浄化作用及び光合成作用をこの植物１７に行わせることが出来る。
【００３４】
更に、天窓２３から採光した光が、上階の壁部を兼ねる間仕切り２４，２５内を伝って、浄化ダクト上部まで導光されるので、別途反射鏡等を設ける必要が無く、部品点数を削減して、製造コストの増大を抑制できる。
【００３５】
そして、前記連通開口部２６，２６に設けられているダンパ開閉扉機構２７によって、この連通開口部２６，２６が開放されることにより、床下空間部１４が、この浄化ダクト１２内と連通される。
【００３６】
このため、例えば夏季等、床下空間部１４の比較的温度の低い空気を浄化後に室内へ導入できる。更に、室内空気の浄化を主に行ういわゆる室内空気浄化モードでは、前記ダンパ開閉扉機構２７によって、この連通開口部２６，２６を閉塞して、前記下部吸気ファン２１から取り入れた室内の空気を、植物１７及び培土層１８によって浄化して再循環させる。
【００３７】
また、前記上部排気ファン２０によって、空気は前記培土層１８内を通過するように負圧で引かれる。この際、培土層１８の培土１９によって、空気中の悪臭が除去されると共に、培土層１８内に共生する微生物が、空気中の有毒ガスを吸収分解する。このため、更に、室内空気の浄化が効率良く行われる。
【００３８】
【実施例】
図５は、この発明の一実施例の換気装置を用いた建物１００を示すものである。なお、前記実施の形態１と同一乃至均等な部分については、同一符号を付して説明する。
【００３９】
この実施例の建物１００では、２階部分の半透明材料で形成される間仕切り壁３０，３０間及び１階部分の間仕切り壁３１，３１間によって、導光手段としての採光通路３２が構成されている。そして、天窓２３から小屋根裏１０１に入射する太陽光が、この採光通路３２を通じて、各階の居室に分配されるものである。
【００４０】
このうち、１階部分の一側面の間仕切り壁３１には、透明ガラス材料で構成された窓部３３を望ませて、前記植物１７等を有する浄化ダクト１２が設けられている。
【００４１】
他の構成及び作用については、前記実施の形態１と略同一であるので、説明を省略する。
【００４２】
以上、この発明の実施の形態１を図面により詳述してきたが、具体的な構成はこの実施の形態１に限らず、この発明の要旨を逸脱しない範囲の設計の変更等があってもこの発明に含まれる。
【００４３】
例えば、前記実施の形態１では、天窓２３から採光するようにしているが特にこれに限らず、例えば、出窓或いはドライエリア等の各種開口部から採光してもよい。
【００４４】
また、前記実施の形態１では、単数種類の植物１５を用いているが特にこれに限らず、例えば異なる有害物質除去能力を有する複数の植物１５…を組み合わせて用いてもよい。
【００４５】
【発明の効果】
以上説明してきたように、この発明の請求項１記載のものによれば、前記植物植え込み部に植え込まれた植物が、前記浄化ダクト周囲からの光を受けて、光合成作用を行うと共に、前記浄化作用を行い該浄化ダクト内を通過する空気を浄化する。
【００４６】
浄化された空気は、前記送風手段によって室内に一定量送風されるので、室内空気の浄化が、季節又は気候に左右されずに行える。
【００４７】
また、前記導光手段が、前記浄化ダクトまで採光を導光する。このため、例えば、天井部に設けられた天窓から入射した光が、前記植物植え込み部に植え込まれた植物まで届き、更に活発に浄化作用及び光合成作用を該植物に行わせることが出来る。
【００４８】
そして、前記床下空気導入手段が、前記床下空間を該浄化ダクト内と連通させるので、例えば夏季等、床下空間の比較的温度の低い空気を浄化後に室内へ導入できる。
【００４９】
また、前記送風手段によって、空気は前記培土層内を通過するように負圧で引かれる。この際、培土層の培土が、空気中の悪臭を除去すると共に、微生物が、空気中の有毒ガスを吸収分解する。
【００５０】
このため、更に、室内空気の浄化が効率良く行われる、という実用上有益な効果を発揮する。
【図面の簡単な説明】
【図１】本発明の実施の形態１の換気装置で、構成を説明する斜視図である。
【図２】実施の形態１の換気装置で、構成を説明する模式図である。
【図３】植物の有害物質除去率を示す実験結果の表図である。
【図４】植物のベンゼン除去率を示し、初期濃度が低い場合の実験結果の表図である。
【図５】実施例の建物を説明する模式図である。
【図６】従来例の換気装置を説明する一部断面斜視図である。
【符号の説明】
１２          浄化ダクト
１４          床部延長部
１５          床下空間部
１６          植物植え込み部
１７          植物
１８          培土層
１９          培土
２０          上部排気ファン（送風手段）
２４，２５    間仕切り（導光手段）
床下空気導入手段
２６          連通開口部
２７          ダンパ開閉扉機構
３２          採光通路（導光手段）
【図１】
0004171120.tif 000002
【図２】
0004171120.tif 000003
【図３】
0004171120.tif 000004
【図４】
0004171120.tif 000005
【図５】
0004171120.tif 000006
【図６】
0004171120.tif 000007